(57)【要約】      （修正有）【課題】対比可能なマスクフィルター作用のデモンストレーション装置を提供する。【解決手段】回転可能な埃受け枠２２の真ん中に埃受け仕切り板２４が設置され、両側にその内部空洞と連通するマスクフィルター４及びマスクを作動部品とする対比装置がそれぞれ取り付けられ、埃受け枠２２の底部に設置された二枚の埃受け対比ブロック２３における埃の量により、マスクと比べるマスクフィルター４の防塵効果を直接に表現することが可能になり、良好的な、効率的な教育効果が起こる。【選択図】図２
2019217246.tif 000002
【特許請求の範囲】
【請求項１】
キャビネット（1）を備え、前記キャビネット（1）に仕切り板（2）を介して密封している埃キャビティと右側が開口したデモキャビティが形成され、且つ仕切り板（2）に埃キャビティとデモキャビティとを連通させる連通口（3）が設けられ、前記デモキャビティの上部に互いに連係する埃受け可動モータ（15）と埃受け可動スクリュー（16）が設置され、前記埃受け可動スクリュー（16）に埃受け可動ブロック（17）が被装されて連係され、前記埃受け可動ブロック（17）の下方に埃受け回転モータ（21）が設置され、前記埃受け回転モータ（21）の下方に埃受け枠（22）が設置され、前記埃受け枠（22）の中部に埃受け仕切り板（24）が設置され、且つ埃受け枠（22）の底部には埃受け仕切り板（24）の両側に位置する所に、いずれも埃受け対比ブロック（23）が設置され、前記埃受け枠（22）の左右側板にその内部空洞と連通するマスクフィルター（4）及びマスクを作動部品とする対比装置（13）がそれぞれ取り付けられ、前記マスクフィルター（4）及び対比装置（13）はいずれも連通口（3）に連係されることを特徴とする対比可能なマスクフィルター作用のデモンストレーション装置。
【請求項２】
前記連通口（3）の左端に左側が大きく右側が小さいマスク密封テーパースリーブ（8）が固設され、前記マスク密封テーパースリーブ（8）の右端の開口がフィルターの柱（401）より大きくて、フィルターのカバー（402）の左端の外径より小さいことを特徴とする請求項１に記載の対比可能なマスクフィルター作用のデモンストレーション装置。
【請求項３】
前記埃キャビティには連通口（3）の上部と下部に位置する所に、風通しストップブロック（10）が設置され、前記埃キャビティ の上部と下部に、中部へ向けて風を吹く吹き散らしエアーポンプ（11）が設置され、前記埃キャビティ の側壁には二枚の風通しストップブロック（10）の間に位置する所に、材料投入開合カバー（12）が設置され、前記材料投入開合カバー（12）は、埃キャビティ の側壁と差し込んで連係する材料投入開合カバーボディ（45）を備え、前記材料投入開合カバーボディ（45）の外側に材料投入開合ハンドル（46）が設置され、前記材料投入開合カバーボディ（45）の上下側に垂直方向を向くカバーボディの位置固定穴が設けられ、前記カバーボディの位置固定穴に、カバーボディの位置固定ばね（47）を介してカバーボディの位置固定インサートブロック（48）が接続され、前記埃キャビティ の側壁にカバーボディの位置固定インサートブロック（48）と連係するカバーボディの位置固定スロットが設けられることを特徴とする請求項１に記載の対比可能なマスクフィルター作用のデモンストレーション装置。
【請求項４】
前記埃受け枠（22）の左側板にフィルターの柱（401）と連係するフィルター連通穴（51）が設けられ、且つフィルター連通穴（51）の上下側にフィルター締付装置（14）が設置され、前記フィルター締付装置（14）は埃受け枠（22）の側板の外側に固設されたフィルター締付取付ブロック（52）を備え、前記フィルター締付取付ブロック（52）がフィルター連通穴（51）へ向う一側に、フィルター締付ばね（53）を介してフィルターのカバー（402）と連係するフィルター締付ブロック（54）が接続され、前記フィルター締付ブロック（54）の外側にハンドル付きのフィルター締付開合ロッド（56）が固設され、且つフィルター締付開合ロッド（56）がフィルター締付取付ブロック（52）に貫通されて連係されることを特徴とする請求項１に記載の対比可能なマスクフィルター作用のデモンストレーション装置。
【請求項５】
前記フィルター連通穴（51）の外部がフィルターのカバー（402）と連係する錐孔であり、内部がフィルターの柱（401）の右端に合わさる円柱穴であり、前記フィルターのカバー（402）の外側に締付配合穴（403）が設けられ、前記フィルター締付ブロック（54）の内側に締付配合穴（403）と連係するフィルター締付インサートロッド（55）が設置されることを特徴とする請求項４に記載の対比可能なマスクフィルター作用のデモンストレーション装置。
【請求項６】
前記対比装置は埃受け枠（22）の右側板に嵌め込められて取り付けられた軸線及びフィルターの柱（401）と同じ直線に位置する対比カバー（26）を備え、且つ対比カバー（26）の開口の大きさがフィルターの柱（401）の左端と一致され、前記対比カバー（26）の右端にマスクのロックスリーブ（28）を介してマスク（27）が取り付けられ、且つマスクのロックスリーブ（28）の中心に対比カバー（26）の開口と一致する通気口が設けられることを特徴とする請求項２に記載の対比可能なマスクフィルター作用のデモンストレーション装置。
【請求項７】
前記埃受け枠（22）が底枠なしであり、且つその下部に埃受け底枠（29）が連係され、前記埃底枠（29）に埃受け枠（22）及び埃受け仕切り板（24）と締まり嵌まるように差し込み連係する底枠のインサートロッド（30）が設置され、前記埃受け対比ブロック（23）が埃受け底枠（29）に設置され、前記埃受け枠（22）の左右両側に底枠挟み口（31）が設けられ、前記デモキャビティ の右側の底部に底枠挟み口（31）と連係する底枠出し入れ装置（19）が設置されることを特徴とする請求項１に記載の対比可能なマスクフィルター作用のデモンストレーション装置。
【請求項８】
前記埃受け底枠出し入れ装置（19）はキャビネット（1）の底枠に設置された底枠挟み昇降シリンダー（34）を備え、前記底枠挟み昇降シリンダー（34）に水平左右方向を向く底枠挟みシリンダー（33）が設置され、前記底枠挟みシリンダー（33）の左右両側に底枠挟み口（31）と連係する底枠挟みブロック（32）が接続され、且つ底枠挟みブロック（32）が底枠挟み口（31）と差し込んで連係する時、埃底枠（29）の下部が底枠挟みシリンダー（33）の上部と接触されて連係されることを特徴とする請求項７に記載の対比可能なマスクフィルター作用のデモンストレーション装置。
【請求項９】
前記キャビネット（1）には底枠挟みシリンダー（33）の下方に位置する所に、挟み緩衝カバー（35）が設置され、前記挟み緩衝カバー（35）に挟み緩衝穴が設けられ、前記挟み緩衝穴に挟み緩衝ばね（36）が設置され、前記挟み緩衝ばね（36）に挟み緩衝柱（37）が接続され、前記挟み緩衝柱（37）の上部が底枠挟みシリンダー（33）と接続されることを特徴とする請求項８に記載の対比可能なマスクフィルター作用のデモンストレーション装置。
【請求項１０】
前記挟み緩衝ばね（36）の上部にばねの接続ブロック（38）が設置され、前記ばねの接続ブロック（38）が逆Ｔ字型になっており、且つ垂直部分が寸切りボルトであり、前記挟み緩衝柱（37）の下部にばねの接続ブロック（38）のネジ山が被装されて連係され、前記底枠挟みシリンダー（33）の下部に挟み緩衝柱（37）の上部と被装して連係する緩衝柱連結シャフト（39）が設置され、前記緩衝柱連結シャフト（39）の中部に緩衝柱位置固定円形溝（43）が設けられ、挟み緩衝柱（37）がそれと連係する箇所で位置固定弧状ブロック可動溝（41）が設けられ、前記位置固定弧状ブロック可動溝（41）に緩衝柱位置固定円形溝（43）と連係する緩衝柱位置固定弧状ブロック（40）が設置され、且つ緩衝柱位置固定弧状ブロック（40）に挟み緩衝柱（37）を貫通して且つそれと締まり嵌まるように差し込み連係する位置固定弧状可動締付ロッド（42）が接続されることを特徴とする請求項９に記載の対比可能なマスクフィルター作用のデモンストレーション装置。
【発明の詳細な説明】
【技術分野】
【０００１】
本発明は教育デモ設備分野に関し、特に対比可能なマスクフィルター作用のデモンストレーション装置に関する。
【背景技術】
【０００２】
工場は不確定な要素が溢れている環境であるため、いろいろな工場用防護用具を備えており、主な防護用具は特製の革靴、ヘルメット、手袋、防塵マスク等がある。
【０００３】
工場用防塵用具の中で、防塵マスクが最も見落とされやすいが、実はそれが非常に大事な防護工具である。防塵マスクに主な作動部品はマスクフィルターであり、図9に示すように、マスクフィルターは錐形フィルターの柱401とフィルターのカバー402を備えている。学生たちに防塵マスクの作用を十分に認識させるために、デモの課程を開設する本科学校がいくつかあり、その時にデモ工具を使っているが、従来のデモ工具が簡単なものであるため、効率的に対比及び検証を行うことが難しい一方、学生が防塵マスクをかけてシミュレーション環境の中で一つずつ体験しなければならなく、教育には長い時間がかかる。
【発明の概要】
【発明が解決しようとする課題】
【０００４】
本発明は対比可能なマスクフィルター作用のデモンストレーション装置を提供することを目的とし、回転可能な埃受け枠の真ん中に埃受け仕切り板が設置され、両側にその内部空洞と連通するマスクフィルター及びマスクを作動部品とする対比装置がそれぞれ取り付けられ、埃受け枠の底部に設置された二枚の埃受け対比ブロックにおける埃の量により、マスクと比べるマスクフィルターの防塵効果を直接に表現することが可能になり、良好的な、効率的な教育効果が起こる。
【課題を解決するための手段】
【０００５】
以上の目的を実現するために、本発明の使用する技術的な解決方案は以下の通りである。対比可能なマスクフィルター作用のデモンストレーション装置であって、それはキャビネットを備え、キャビネットに仕切り板を介して密封している埃キャビティと右側が開口したデモキャビティが形成され、且つ仕切り板に埃キャビティとデモキャビティとを連通させる連通口が設けられ、前記デモキャビティの上部に互いに連係する埃受け可動モータと埃受け可動スクリューが設置され、前記埃受け可動スクリューに埃受け可動ブロックが被装されて連係され、前記埃受け可動ブロックの下方に埃受け回転モータが設置され、前記埃受け回転モータの下方に埃受け枠が設置され、前記埃受け枠の中部に埃受け仕切り板が設置され、且つ埃受け枠の底部には埃受け仕切り板の両側に位置する所に、いずれも埃受け対比ブロックが設置され、前記埃受け枠の左右両側にその内部空洞と連通するマスクフィルター及びマスクを作動部品とする対比装置がそれぞれ取り付けられ、前記マスクフィルター及び対比装置はいずれも連通口と連係する。
【０００６】
さらに、前記連通口の左端に左側が大きい右側が小さいマスク密封テーパースリーブが固設され、前記マスク密封テーパースリーブの右端の開口がフィルターの柱より大きくて、フィルターのフィルターのカバー左端の外径より小さい。
【０００７】
さらに、前記埃キャビティ には連通口の上部と下部に位置する所に、風通しストップブロックが設置され、前記埃キャビティ の上部と下部に中部へ向けて風を吹く吹き散らしエアーポンプが設置され、前記埃キャビティ の側壁には二枚の風通しストップブロックの間に位置する所に、材料投入開合カバーが設置され、前記材料投入開合カバーは埃キャビティ の側壁と差し込んで連係する材料投入開合カバーボディを備え、前記材料投入開合カバーボディの外側に材料投入開合ハンドルが設置され、前記材料投入開合カバーボディの上下側に垂直方向を向くカバーボディの位置固定穴が設けられ、前記カバーボディの位置固定穴にカバーボディの位置固定ばねを介してカバーボディの位置固定インサートブロックが接続され、前記埃キャビティの側壁にカバーボディの位置固定インサートブロックと連係するカバーボディの位置固定スロットが設けられる。
【０００８】
さらに、前記埃受け枠の左側板にフィルターと連係するフィルター連通穴が設けられ、且つフィルター連通穴の上下側にフィルター締付装置が設置され、前記フィルター締付装置は埃受け枠の側板の外側に固設されたフィルター締付取付ブロックを備え、前記フィルター締付取付ブロックがフィルター連通穴へ向う一側に、フィルター締付ばねを介してフィルターのカバーと連係するフィルター締付ブロックが接続され、前記フィルター締付ブロックの外側にハンドル付きのフィルター締付開合ロッドが固設され、且つフィルター締付開合ロッドがフィルター締付取付ブロックに貫通されて連係される。
【０００９】
さらに、前記フィルター連通穴の外部がフィルターのカバーと連係する錐孔であり、内部がフィルターの柱の右端に合わさる円柱穴であり、前記フィルターのカバーの外側に締付配合穴が設けられ、前記フィルター締付ブロックの内側に締付配合穴と連係するフィルター締付インサートロッドが設置される。
【００１０】
さらに、前記対比装置は埃受け枠の右側板に嵌め込められて取り付けられた軸線及びフィルターの柱と同じ直線に位置する対比カバーを備え、且つ対比カバーの開口の大きさがフィルターの柱の左端と一致され、前記対比カバーの右端にマスクのロックスリーブを介してマスクが取り付けられ、且つマスクのロックスリーブの中心に対比カバーの開口と一致する通気口が設けられる。
【００１１】
さらに、前記埃受け枠が底枠なしであり、且つその下部に埃受け底枠が連係され、前記埃底枠に埃受け枠及び埃受け仕切り板と締まり嵌まるように差し込み連係する底枠のインサートロッドが設置され、前記埃受け対比ブロックが埃受け底枠に設置され、前記埃受け枠の左右両側に底枠挟み口が設けられ、前記デモキャビティの右側の底部に底枠挟み口と連係する底枠出し入れ装置が設置される。
【００１２】
さらに、前記埃受け底枠出し入れ装置がキャビネットの底枠に設置された底枠挟み昇降シリンダーを備え、前記底枠挟み昇降シリンダーに水平左右方向を向く底枠挟みシリンダーが設置され、前記底枠挟みシリンダーの左右両側に底枠挟み口と連係する底枠挟みブロックが接続され、且つ底枠挟みブロックが底枠挟み口と差し込んで連係する時、埃底枠の下部が底枠挟みシリンダーの上部と連係される。
【００１３】
さらに、前記キャビネットには底枠挟みシリンダーの下方に位置する所に、挟み緩衝カバーが設置され、前記挟み緩衝カバーに挟み緩衝穴が設けられ、前記挟み緩衝穴に挟み緩衝ばねが設置され、前記挟み緩衝ばねに挟み緩衝柱が接続され、前記挟み緩衝柱の上部が底枠挟みシリンダーと接続される。
【００１４】
さらに、挟み緩衝ばねの上部にばねの接続ブロックが設置され、前記ばねの接続ブロックが逆Ｔ字型になっており、且つ垂直部分が寸切りボルトであり、前記挟み緩衝柱の下部にばねの接続ブロックのネジ山が被装されて連係され、前記底枠挟みシリンダーの下部に挟み緩衝柱の上部と被装して連係する緩衝柱連結シャフトが設置され、前記緩衝柱連結シャフトの中部に緩衝柱位置固定円形溝が設けられ、挟み緩衝柱がそれと連係する箇所で位置固定弧状ブロック可動溝が設けられ、前記位置固定弧状ブロック可動溝に緩衝柱位置固定円形溝と連係する緩衝柱位置固定弧状ブロックが設置され、且つ緩衝柱位置固定弧状ブロックに挟み緩衝柱を貫通して且つそれと締まり嵌まるように差し込み連係する位置固定弧状可動締付ロッドが接続される。
【発明の効果】
【００１５】
本発明の有益な効果は以下のとおりである。
【００１６】
1、回転可能な埃受け枠の真ん中に埃受け仕切り板が設置され、両側にそれぞれそのキャビティ と連通するマスクフィルター及びマスクを作動部品とする対比装置が取り付けられ、埃受け枠の底部に設置された二枚の埃受け対比ブロックにおける埃の量により、マスクと比べるマスクフィルターの防塵効果を直接に表現することが可能になり、良好的な、効率的な教育効果が起こる。
【００１７】
2、マスク密封テーパースリーブの設計により、マスクフィルターを密封することができ、埃がフィルターマスク及び対比装置からしか出てこないことを確保する。
【００１８】
3、材料投入開合カバーと埃キャビティ における吹き散らし構造を組み合わせる設計により、材料の投入がしやすくなり、相対的に流動可能な模擬工場の埃空間が形成される。
【００１９】
4、フィルター締付装置の設計により、マスクフィルターの締付及び取り出しがしやすくなり、さらに簡単に防塵マスクを交換することができる。
【００２０】
5、フィルター連通穴の構造、及びフィルター締付インサートロッドと締付配合穴と差し込んで連係することにより、締め付ける時にマスクフィルターに対してちゃんと締付・位置決め役割を果たして、順調にデモを進めることを確保する。
【００２１】
6、対比装置は構造がシンプルであり、マスクを出し入れることが便利である。
【００２２】
7、埃受け枠の設計により、簡単に埃受け対比ブロックを取り出し及び交換することが可能になり、さらに何回試験を行う場合、試験の操作効率を向上させる。
【００２３】
8、埃受け枠出し入れ装置は構造がシンプルであり、操作しやすくなり、埃受け枠の出し入れをちゃんと実現することが可能である。
【００２４】
9、挟み緩衝カバーと挟み緩衝ばねの設計により、埃受け枠を出し入れる時に緩衝の役割を果たし、出し入れる時の安定を確保し、さらに埃受け比較ブロックが優れた埃受け対比効果を持つことを確保する。
【００２５】
10、位置固定弧状ブロック可動円形溝、位置固定弧状可動締付ロッドと緩衝柱位置固定円形溝の設計により、挟み緩衝柱の回転を実現することができ、ばねの接続ブロックの構造と組み合わせて、全体の取り外しとメンテナンスがしやすくなる。
【図面の簡単な説明】
【００２６】
【図１】対比可能なマスクフィルター作用のデモンストレーション装置の構造を示す図である。
【図２】試験部分の構造を示す図である。
【図３】フィルター締付装置の構造を示す図である。
【図４】埃受け底枠出し入れ装置の構造を示す図である。
【図５】図4におけるAの部分拡大図である。
【図６】図5におけるB-Bの断面図である。
【図７】材料投入開合カバーの構造を示す図である。
【図８】図1におけるＣの部分拡大図である。
【図９】マスクフィルターの構造を示す図である。
【発明を実施するための形態】
【００２７】
当業者が本発明の技術的な解決手段をより良く理解するため、次に、図面と併せて本発明を詳しく説明する。この部分の説明は、実証性と解釈性のみであり、本発明の保護範囲は何ら限定されない。
【００２８】
図１−図９に示すように、本発明の具体的な構造は以下の通りである。対比可能なマスクフィルター作用のデモンストレーション装置であって、それはキャビネット1を備え、キャビネット1に仕切り板2を介して密封している埃キャビティと右側が開口したデモキャビティが形成され、且つ仕切り板2に埃キャビティとデモキャビティとを連通させる連通口3が設けられ、前記デモキャビティの上部に互いに連係する埃受け可動モータ15と埃受け可動スクリュー16が設置され、前記埃受け可動スクリュー16に埃受け可動ブロック17が被装されて連係され、前記埃受け可動ブロック17の下方に埃受け回転モータ21が設置され、前記埃受け回転モータ21の下方に埃受け枠22が設置され、前記埃受け枠22の中部に埃受け仕切り板24が設置され、且つ埃受け枠22の底部には埃受け仕切り板24の両側に位置する所に、いずれも埃受け対比ブロック23が設置され、前記埃受け枠22の左右側板にそれぞれそのキャビティ と連通するマスクフィルター4及びマスクを作動部品とする対比装置13が取り付けられ、マスクフィルター4及び対比装置13はいずれも連通口3と連係する。
【００２９】
好ましくは、前記連通口3の左端に左側が大きい右側が小さいマスク密封テーパースリーブ8が固設され、前記マスク密封テーパースリーブ8の右端の開口がフィルターの柱401より大きくて、フィルターのフィルターのカバー402左端の外径より小さい。
【００３０】
好ましくは、前記埃キャビティには連通口3の上部と下部に位置する所に、風通しストップブロック10が設置され、前記埃キャビティ の上部と下部に中部へ向けて風を吹く吹き散らしエアーポンプ11が設置され、前記埃キャビティ の側壁には二枚の風通しストップブロック10の間に位置する所に、材料投入開合カバー12が設置され、前記材料投入開合カバー12は埃キャビティ の側壁と差し込んで連係する材料投入開合カバーボディ45を備え、前記材料投入開合カバーボディ45の外側に材料投入開合ハンドル46が設置され、前記材料投入開合カバーボディ45の上下側に垂直方向を向くカバーボディの位置固定穴が設けられ、前記カバーボディの位置固定穴にカバーボディの位置固定ばね47を介してカバーボディの位置固定インサートブロック48が接続され、前記埃キャビティの側壁にカバーボディの位置固定インサートブロック48と連係するカバーボディの位置固定スロットが設けられる。
【００３１】
好ましくは、前記埃受け枠22の左側板にフィルター401と連係するフィルター連通穴51が設けられ、且つフィルター連通穴51の上下側にフィルター締付装置14前記フィルター締付装置14は埃受け枠22の側板の外側に固設されたフィルター締付取付ブロック52を備え、前記フィルター締付取付ブロック52がフィルター連通穴51へ向う一側に、フィルター締付ばね53を介してフィルターのカバー402と連係するフィルター締付ブロック54が接続され、前記フィルター締付ブロック54の外側にハンドル付きのフィルター締付開合ロッド56が固設され、且つフィルター締付開合ロッド56がフィルター締付取付ブロック52に貫通されて連係される。
【００３２】
好ましくは、前記フィルター連通穴51の外部がフィルターのカバー402と連係する錐孔であり、内部がフィルターの柱401の右端に合わさる円柱穴であり、前記フィルターのカバー402の外側に締付配合穴403が設けられ、前記フィルター締付ブロック54の内側に締付配合穴403と連係するフィルター締付インサートロッド55が設置される。
【００３３】
好ましくは、前記対比装置は埃受け枠22の右側板に嵌め込められて取り付けられた軸線及びフィルターの柱401と同じ直線に位置する対比カバー26を備え、且つ対比カバー26の開口の大きさがフィルターの柱401の左端と一致され、前記対比カバー26の右端にマスクのロックスリーブ28を介してマスク27が取り付けられ、且つマスクのロックスリーブ28の中心に対比カバー26の開口と一致する通気口が設けられる。
【００３４】
好ましくは、前記埃受け枠22が底枠なしであり、且つその下部に埃受け底枠29が連係され、前記埃底枠29に埃受け枠22及び埃受け仕切り板24と締まり嵌まるように差し込み連係する底枠のインサートロッド30が設置され、前記埃受け対比ブロック23が埃受け底枠29に設置され、前記埃受け枠22の左右側板に底枠挟み口31が設けられ、前記デモキャビティの右側の底部に底枠挟み口31と連係する底枠出し入れ装置19が設置される。
【００３５】
好ましくは、前記埃受け底枠出し入れ装置19がキャビネット1の底枠に設置された底枠挟み昇降シリンダー34を備え、前記底枠挟み昇降シリンダー34に水平左右方向を向く底枠挟みシリンダー33が設置され、前記底枠挟みシリンダー33の左右両側に底枠挟み口31と連係する底枠挟みブロック32が接続され、且つ底枠挟みブロック32が底枠挟み口31と差し込んで連係する時、埃底枠29の下部が底枠挟みシリンダー33の上部と連係される。
【００３６】
好ましくは、前記キャビネット1には底枠挟みシリンダー33の下方に位置する所に、挟み緩衝カバー35が設置され、前記挟み緩衝カバー35に挟み緩衝穴が設けられ、前記挟み緩衝穴に挟み緩衝ばね36が設置され、前記挟み緩衝ばね36に挟み緩衝柱37が接続され、前記挟み緩衝柱37の上部が底枠挟みシリンダー33と接続される。
【００３７】
好ましくは、挟み緩衝ばね36の上部にばねの接続ブロック38が設置され、前記ばねの接続ブロック38が逆Ｔ字型になっており、且つ垂直部分が寸切りボルトであり、前記挟み緩衝柱37の下部にばねの接続ブロック38のネジ山が被装されて連係され、前記底枠挟みシリンダー33の下部に挟み緩衝柱37の上部と被装して連係する緩衝柱連結シャフト39が設置され、前記緩衝柱連結シャフト39の中部に緩衝柱位置固定円形溝43が設けられ、挟み緩衝柱37がそれと連係する箇所で位置固定弧状ブロック可動溝41が設けられ、前記位置固定弧状ブロック可動溝41に緩衝柱位置固定円形溝43と連係する緩衝柱位置固定弧状ブロック40が設置され、且つ緩衝柱位置固定弧状ブロック40に挟み緩衝柱37を貫通して且つそれと締まり嵌まるように差し込み連係する位置固定弧状可動締付ロッド42が接続される。
【実施例】
【００３８】
具体的に使用する時、まず設備を組み立てた後、マスクフィルター4とマスク27を同時に組み立てた後、続いて材料投入開合カバー12を開けて、埃を埃キャビティ を入れて、続いて材料投入開合カバー12を閉めて、カバーボディ位置固定インサートブロック48をカバーボディ位置固定スロットに挿入させた後、埃受け可動モータにより埃受け枠22を左側へ移動させ、更にマスクフィルター4をマスク密封テーパースリーブに突っ張らせて、マスクフィルター4に対する密封作業を完了する。その後、上下方向を向く吹き散らしエアーポンプ11の相乗作用により埃を吹き散らして一定の流動性を保有させ、模擬工場の埃環境を形成させて、続いて呼吸ポンプを起動させ、起動時間は5分間に設定し、続いて呼吸ポンプ25の運転を停止させ、マスクフィルター4を通過した埃が相応な埃受け対比ブロック23に落ちて、続いて埃受け可動モータ15により埃受け枠22を右側へ移動させ、続いて埃受け回転モータ21により埃受け枠22を動かして180度を回転させた後、埃可動モータ15により埃受け枠22を左側へ移動させ、マスクロックカバー28がマスク密封テープスリーブ8に突っ張らせて、続いて呼吸ポンプを起動させ、運転時間が同じように5分間に設定し、マスクを通過した埃が相応な埃受け対比ブロック23に落ちた後、埃受け可動モータ15により埃受け22を右側へ向かって埃受け底枠出し入れ装置19の上方まで移動させ、続いて底枠挟む昇降シリンダー34により底枠挟みシリンダー33を動かして埃受け底枠29まで上昇させて、底枠挟みシリンダー33により底枠挟みブロック32を動かして底枠挟み口31に挿入させ、底枠挟み昇降シリンダー34を下に向かって収縮させ、埃受け底枠29を引き出す。この過程において、挟み緩衝ばねによりいい緩衝の役割を果たさせ、続いて埃受け底枠29における埃受け対比ブロック23を取り出して、新しい埃受け対比ブロック23を入れた後、底枠挟み昇降シリンダー34により上昇させ、埃受け底枠29を埃受け枠22の下方に挿入させ、続いて埃受け底枠出し入れ装置19を元の位置に戻すとともに、人手でマスク27を取り外して、新しいマスク27を取り換える、埃受け底枠29から取出した二枚の埃受け対比ブロック23を対比すると、マスク27と対応する埃受け対比ブロック23における埃の量がマスクフィルターと対応する埃受け対比ブロック23より明らかに多いことが分かった。マスクフィルターがマスクよりずいぶん優れた防塵作用を有することが分かり、学生に対して良好な教育効果が起きることができる。
【００３９】
マスクフィルターを一定時間使用した後、マスクフィルターをキャビネット1の右側の開口へ移動させ、人手により二枚のフィルター締付開合ロッド56を動かしてフィルター締付ブロック54を開けさせ、マスクフィルターを取出して、新しいマスクフィルターを入れた後フィルター締付開合ロッド56を弛めて、更に取り換えた後のマスクフィルターを締付けることができる。
【００４０】
説明すべきなのは、本明細書において、専門用語の“含む”、“含有”またはそのいかなる他の変化は、非排他的な含有を網羅することを意味する。従って、一連の要素を含む過程、方法、物品または装置がそれらの要素を含むだけではなく、かつ明確に列挙されていないその他の要素をさらに備え、またはこの種類の過程、方法、物品または装置の固有の要素をさらに含んでいる。
【００４１】
本明細書に具体的な個別事例を応用して本発明の原理及び実施方式を説明したが、上記の実例の説明は本発明の方法及びその基本理念に対する理解を手伝うだけに用いられる。上記は本発明の好ましい実施方式のみであり、注意すべきなのは、文字表現の制限性のため、客観的に無限の具体的な構造が存在し、本技術分野の当業者にとって、本発明の原理から逸脱しない前提において、さらにいくつかの改善、修正または変化を実施でき、さらに上記の技術的特徴を適切な方式で組み合わせることができる。これらの改善と修正、変化または組み合わせ、または改善せずに発明の構想と技術的解決手段をその他の場合に直接応用するものは、いずれも本発明の保護範囲とみなすべきである。
【符号の説明】
【００４２】
1  キャビネット
2  仕切り板
3  連通口
4  マスクフィルター
8  マスク密封テーパースリーブ
10  風通しストップブロック
11  吹き散らしエアーポンプ
12  材料投入開合カバー
13  対比装置
14  フィルター締付装置
15  埃可動モータ
16  埃受け可動スクリュー
17  埃受け可動ブロック
19  埃受け底枠出し入れ装置
21  埃受け回転モータ
22  埃受け枠
23  埃受け対比ブロック
24  埃受け仕切り板
25  呼吸ポンプ
26  対比カバー
27  マスク
28  マスクロックカバー
29  埃受け底枠
30  底枠インサートロッド
31  底枠挟み口
32  底枠挟みブロック
33  底枠挟みシリンダー
34  底枠挟み昇降シリンダー
35  挟み緩衝カバー
36  挟み緩衝ばね
37  挟み緩衝柱
38  ばねの接続ブロック
39  緩衝柱連結シャフト
40  緩衝柱位置固定弧状ブロック
41  位置固定弧状ブロック可動円形溝
42  位置固定弧状ブロック締付ロッド
43  緩衝柱位置固定円形溝
45  材料投入開合カバーボディ
46  材料投入開合ハンドル
47  カバーボディ位置固定ばね
48  カバーボディ位置固定インサートブロック
51  フィルター連通穴
52  フィルター締付取付ブロック
53  フィルター締付ばね
54  フィルター締付ブロック
55  フィルター締付インサートロッド
56  フィルター締付開合ロッド
401：フィルターの柱
402：フィルターのカバー
403：締付配合穴
【図１】
2019217246.tif 000003
【図２】
2019217246.tif 000004
【図３】
2019217246.tif 000005
【図４】
2019217246.tif 000006
【図５】
2019217246.tif 000007
【図６】
2019217246.tif 000008
【図７】
2019217246.tif 000009
【図８】
2019217246.tif 000010
【図９】
2019217246.tif 000011